(57)【要約】【課題】優れた脱気防止性を有し、内容物とキャップの間に空間を作らないように内容物を充填できるガス含有飲料の容器及びその充填方法の提供。【解決手段】ボトルとそのキャップ１からなるガス含有飲料の容器において、キャップ１がボトルの開口２内に嵌入される凸部１ａを有する。キャップ１は、天板部３が内側に窪んだ有底筒体であって側壁４でボトル開口の外周に設けた螺子７に螺合するもの、あるいは、凸部１１ａが金属製キャップの内部天板面に取り付けた樹脂製ブロックによって形成される。また、ガス含有飲料の容器への充填においては、ボトルにガス含有飲料を満たし、ボトルの開口内に嵌入される凸部を備えたキャップを開口に装着することによって飲料の一部を排出しつつ密封する。【選択図】図１
2007238100.tif 000002
【特許請求の範囲】
【請求項１】
上部に開口を備えるボトルと該開口を覆うキャップとからなるガス含有飲料の容器において、前記キャップ内側には前記開口内に向かって突出した凸部が形成されていることを特徴とするガス含有飲料の容器。
【請求項２】
前記凸部は前記開口内に向かって徐々に縮径されていることを特徴とする請求項１に記載のガス含有飲料の容器。
【請求項３】
前記キャップは前記開口より若干大きな天板と該天板の外周縁から所定長さ垂下した側壁とから構成され、前記凸部は前記天板がキャップ内側に向かって湾曲されて形成されていることを特徴とする請求項１又は２に記載のガス含有飲料の容器。
【請求項４】
前記キャップは前記開口より若干大きな天板と該天板の外周縁から所定長さ垂下した側壁とから構成され、前記凸部は前記天板の前記キャップ内側に位置する面に取り付けられた樹脂製ブロックからなることを特徴とする請求項１又は２に記載のガス含有飲料の容器。
【請求項５】
前記キャップは該側壁の内側に形成された雌螺子を前記ボトルの開口の外側に形成された雄螺子に螺合させて固定されることを特徴とする請求項１に記載のガス含有飲料の容器。
【請求項６】
前記キャップは金属製又は合成樹脂製であることを特徴とする請求項１〜５の何れかに記載のガス含有飲料の容器。
【請求項７】
前記キャップの外側には該キャップに被せる飾りキャップが取り付けられていることを特徴とする請求項１〜６の何れかに記載のガス含有飲料の容器。
【請求項８】
上部に開口を備えるボトルと、該開口を覆い内側に前記開口内に向かって突出する凸部を備えるキャップと、からなるガス含有飲料の容器の充填方法であって、以下の（１）〜（２）の工程を含むことを特徴とするガス含有飲料の容器の充填方法。
（１）前記ボトル内に前記ガス含有飲料を前記開口近傍に至るまで充填する工程、
（２）前記開口に前記キャップを徐々に装着させることで前記ボトル内のガス含有飲料を該開口から溢流させながら該開口を封止する工程。
【発明の詳細な説明】
【技術分野】
【０００１】
本発明は、ガス含有飲料を保存するボトルとキャップとからなるガス含有飲料の容器及びこの容器にガス含有飲料を充填する充填方法に係るものである。
【背景技術】
【０００２】
従来、炭酸ガスを含む清涼飲料や水素を多く含有させた飲料水などのガス含有飲料の容器としては、アルミニウム、鉄などの金属製ボトル、ガラス製ボトル又はポリエチレンテレフタレート等の合成樹脂製ボトルがあり、それらの開口を密封するキャップとしては金属製又は合成樹脂製のものが用いられている。キャップは、円形の天板とその外周縁から垂下する筒状の側壁とを備え、側壁に形成された雌螺子により、容器の開口に形成した雄螺子に螺合される。キャップは、天板の部分が水平な板体で形成されている。
【０００３】
従来のボトルの内容物とキャップとの間には、キャップを開けたときに内容物がこぼれないようにするため空間が設けられる。これはキャップ位置までいっぱいに内容物を充填すると、キャップの開栓のときに内容物がこぼれて衣服などを汚してしまい、訴訟にまで発展した例すらあるからである。ところが、ガス含有飲料を保存する場合には、ボトルに空間があると内容物に含まれたガスが内容物からこの空間へ脱気してしまうために内容物に含まれるガス量が低減してしまう。この脱気をなくするためには、内容物とキャップの間に空間がないことが好ましい。
【０００４】
一方、従来のガスバリア性を備えるキャップは、キャップが合成樹脂製であると一般に炭酸ガス、酸素ガス等の低分子ガスを透過する性質があるので、ガスの容器外への散逸による劣化を防ぐため、あるいは外部から酸素などが容器内に浸透し内容物の品質を劣化させることが懸念されるため、これを防ぐためにガスバリア性を付加するものがあった。この目的を達成するものとして、例えば下記特許文献１には、図５に示したように、容器５１のキャップ５５のシェル５３の中に容器開口５２密封用のパッキン５４を設けた二重構造とし、シェル５３かパッキン５４のどちらか又は両方にダイヤモンド状硬質炭素膜５６を設けてガスバリア性を向上させたものがあった。また、同じく下記特許文献２に開示されたもののように、合成樹脂製キャップの内面側又は外面側の少なくとも一方の側にアモルファス炭素、アモルファス珪素又は珪素酸化物の少なくとも一種からなる被覆物を備えたものがあった。しかし、これらのものは容器の上部に空間を設けて内容物を充填・密閉することには変わりなかった。
【０００５】
【特許文献１】特開２００２−１７９１２６号（要約、〔０００５〕、〔０００６〕、図１）
【特許文献２】特開２００１−３２２６５６号（要約、〔０００８〕〜〔００１１〕、図１）
【発明の開示】
【発明が解決しようとする課題】
【０００６】
本発明は、上述の事情に鑑み、優れた脱気防止性を有するガス含有飲料の容器及びその充填方法を提供することを目的とする。
【０００７】
また本発明は、ガス含有飲料の容器内において、内容物とキャップの間には空間を作らないように内容物を充填できるガス含有飲料の容器及びその充填方法の提供を目的とする。
【課題を解決するための手段】
【０００８】
上記目的を達成するために、請求項１に記載のガス含有飲料の容器の発明は、上部に開口を備えるボトルと該開口を覆うキャップとからなるガス含有飲料の容器において、前記キャップ内側には前記開口内に向かって突出した凸部が形成されていることを特徴とする。
【０００９】
また、請求項２に記載の発明は、請求項１に記載のガス含有飲料の容器において、前記凸部は前記開口内に向かって徐々に縮径されていることを特徴とする。
【００１０】
また、請求項３に記載の発明は、請求項１又は２に記載のガス含有飲料の容器において、前記キャップは前記開口より若干大きな天板と該天板の外周縁から所定長さ垂下した側壁とから構成され、前記凸部は前記天板がキャップ内側に向かって湾曲されて形成されていることを特徴とする。
【００１１】
また、請求項４に記載の発明は、請求項１又は２に記載のガス含有飲料の容器において、前記キャップは前記開口より若干大きな天板と該天板の外周縁から所定長さ垂下した側壁とから構成され、前記凸部は前記天板の前記キャップ内側に位置する面に取り付けられた樹脂製ブロックからなることを特徴とする。
【００１２】
また、請求項５に記載の発明は、請求項１に記載のガス含有飲料の容器において、前記キャップは該側壁の内側に形成された雌螺子を前記ボトルの開口の外側に形成された雄螺子に螺合させて固定されることを特徴とする。
【００１３】
また、請求項６に記載の発明は、請求項１〜５の何れかに記載のガス含有飲料の容器において、前記キャップは金属製又は合成樹脂製であることを特徴とする。
【００１４】
また、請求項７に記載の発明は、請求項１〜６の何れかに記載のガス含有飲料の容器において、前記キャップの外側には該キャップに被せる飾りキャップが取り付けられていることを特徴とする。
【００１５】
請求項８に記載のガス含有飲料の容器の充填方法の発明は、上部に開口を備えるボトルと、該開口を覆い内側に前記開口内に向かって突出する凸部を備えるキャップと、からなるガス含有飲料の容器の充填方法であって、以下の（１）〜（２）の工程を含むことを特徴とする。
（１）前記ボトル内に前記ガス含有飲料を前記開口近傍に至るまで充填する工程、
（２）前記開口に前記キャップを徐々に装着させることで前記ボトル内のガス含有飲料を該開口から溢流させながら該開口を封止する工程。
【発明の効果】
【００１６】
本発明は上記構成を備えることにより、以下に示すような優れた効果を奏する。すなわち、請求項１の発明によれば、ガス含有飲料の容器において、キャップにボトルの開口内に向かって突出する凸部を有するので、この部分によって内容物の充填閉栓時には容器内の液体を排出しながら閉栓するため、ボトル内に空間ができず、キャップを開けたときには排出した液体の分だけボトルの口から液面まで空間ができることになるので、内容物がこぼれるのを防ぐことができる。
【００１７】
また、請求項２の発明によれば、凸部が開口内に向かって徐々に縮径されているため、閉栓時にこの凸部と開口内壁との間をボトル内の内容物が通って外部にスムーズに溢流するようになる。
【００１８】
また、請求項３の発明によれば、キャップの天板を内側に窪ませて凸部を形成したので、簡単な構造でありながら窪んだ部分でボトル内の内容物を排出することができる。
【００１９】
また、請求項４の発明によれば、凸部を天板に取り付けた樹脂製ブロックによって形成したので、キャップ自体を加工する必要がなくその製造が容易で安価である。
【００２０】
また、請求項５の発明によれば、ボトルとキャップとを固定する手段として従来から一般に用いられている螺合手段を用いることができるので、特別な加工を必要とせず、また内容物としてガス含有飲料を用いるが内圧にも強いので、好適に使用することができる。
【００２１】
また、請求項６の発明によれば、キャップが、金属製又は合成樹脂製であり、加工形成が容易である。
【００２２】
また、請求項７の発明によれば、キャップの外側に、キャップに被せる飾りキャップを備えることによって外観が優れたガス含有飲料の容器を提供することができる。
【００２３】
請求項８の発明によれば、ガス含有飲料容器の充填方法において、ガス含有飲料を入れる容器としてのボトルにガス含有飲料を開口近傍まで満たし、ボトルの開口にキャップに形成された凸部を挿入しながら該キャップを装着することによって飲料の一部を排出しつつ密封することができ、以って所期の収容状態でガス含有飲料を提供できるので内容物の劣化を防ぐことができるとともに開栓時に内容物がこぼれることがない。
【発明を実施するための最良の形態】
【００２４】
以下、図面を参照して本発明の最良の実施形態を説明する。但し、以下に示す実施形態は、本発明の技術思想を具体化するためのガス含有飲料の容器のキャップの構造と容器への充填方法を例示するものであって、本発明をこれらに特定することを意図するものではなく、特許請求の範囲に含まれるその他の実施形態のものも等しく適応し得るものである。
【実施例１】
【００２５】
図１は本発明の実施例１のボトルとキャップを示す断面図であり、図２は実施例１の変形例としてのボトルとキャップを示す断面図である。
【００２６】
図１及び図２には、アルミニウム製のボトル（ボトル缶）の開口に螺合される金属製キャップを示している。キャップ１は、ボトルの開口２に螺合されるタンパーエビデントキャップであり、天板部３と、天板部３の周縁から垂下する筒状の側壁部４と、橋絡部５を介して側壁部４に接続される裾部６とからなる。橋絡部５は、キャップの開栓時に破断する複数の細いブリッジから構成されており、側壁部４と裾部６を繋いでいる。
【００２７】
側壁部４にはボトルの開口２の外周面に形成された雄螺子７に螺合する雌螺子８が形成されている。裾部６は、キャップがボトルに固定されていないときには側壁部４よりもやや径が大きく形成されており、キャップ１がボトルの開口２に螺合されると、ボトル開口の下方に設けたキャップ固定のための環状段部に固定のためかしめられる。なお、本実施例においては内容物をガス含有飲料としているので、上述のような螺合固定されるものが好ましく、開口内に圧入固定されるようなキャップは使用しないほうがよい。
【００２８】
このようなボトルとそのキャップ１からなるガス含有飲料の容器において、本発明は、キャップ１がボトルの開口２内に嵌入される凸部１ａを有する。図１及び図２の実施例に示すキャップ１は、その天板部３が内側に窪んでボトルの開口２内に突出した凸部１ａを形成している。図１のキャップ１は天板部３のプレス成型などで逆山形に湾曲されることで凸部１ａが形成され、図２のキャップ１は同様の工程により略円錐台に形成され、側壁部４には雌螺子８が形成されてボトル開口２の外周に設けた雄螺子７に螺合するものである。キャップ１の凸部１ａの周囲とボトル開口２の内壁面との間には隙間２ａを設けておき、内容物が充填されたボトルにキャップ１が取り付けられる際に凸部１ａが開口内に侵入することによって内容物が外部に押し出され、排出されるようになっている。
【００２９】
ボトルを開栓するときは、キャップ１を開栓方向に回転させると、天板部３及び側壁部４は、雌螺子８が雄螺子７に案内されて上方に移動しようとするが、裾部６が環状段部にかしめられていて移動できない。ここで更に力を加えると橋絡部５が破断されて天板部３及び側壁部４が裾部６から分離することで着脱可能となり、ボトル開口２からキャップ１を外すことができる。橋絡部５が破断された痕跡はキャップ１に残った裾部６を見れば明らかであるので、開栓の事実を表示する機能が達成される。
【００３０】
ガス含有飲料の容器の美観の上では、図１及び図２に図示したように、キャップ１の外側に、キャップ１にかぶせる飾りキャップ９を備えるようにすればよい。このように、キャップ１の外側に飾りキャップ９を備えることによって、装飾性が高く、外観が優れたガス含有飲料の容器を提供することができる。さらにキャップが二重になることにより、ガス気密性も高めることができる。
【実施例２】
【００３１】
また、図３は本発明の実施例２のボトルとキャップを示す断面図であり、図４は実施例２の変形例としてのボトルとキャップを示す断面図である。これらの例においては、キャップ１１がボトルの開口１２内に向かって突出した凸部１１ａを有しかつ側壁１４に設けた雌螺子１８でボトル開口１２の外周に設けた雄螺子１７に螺合するものである。凸部１１ａは金属製のキャップ１１の平坦な天板部１３の内面に取り付けた合成樹脂製ブロックによって形成される。図３及び図４に示す凸部１１ａは逆山形に形成されたものである。この部分によって内容物が充填されたボトルの閉栓時にはボトル内の内容物を外部へ押し出しながら排出してボトルの封止ができるので、ボトル内に空間のない状態とすることができ、また、キャップ１１を開栓したときには閉栓時に排出した内容物の分だけボトルの口から液面まで空間ができることになるので、内容物がこぼれるのを防ぐことができる。
【００３２】
実施例２によれば、凸部１１ａが金属製の天板部１３内面に合成樹脂製ブロックを固着することによって形成されるので、ガスバリア性が高くかつキャップの加工が容易で安価に得られる。なお、凸部１１ａはその周囲とボトル開口１２の壁面との間に隙間１２ａを設けておく、内容物に凸部１１ａが侵入したときに凸部１１ａによって押し出された内容物が外部にスムーズに排出できるようにするためである。
【００３３】
この実施例においても、ガス含有飲料の容器の美観の上では、図３及び図４に図示したように、キャップ１１の外側に、キャップ１１に被せる飾りキャップ１９を備えるようにすればよい。このように、キャップ１１の外側に飾りキャップ１９を備えることによって、装飾性が高く、外観が優れたガス含有飲料の容器を提供することができる。さらにキャップが二重になることにより、ガス気密性も高めることができる。
【００３４】
また、図示はしないが、キャップは金属製でなくとも合成樹脂製でもよい。合成樹脂製のキャップとしては、ポリエチレン、ポリプロピレン、ポリエチレンテレフタレート、ポリエチレンナレフタレート等のポリエステル類、ポリスチレン、ポリカーボネート、ポリアリレート、ポリアクリレート、ポリアミド等によって形成される。しかし、これらの合成樹脂は、炭酸ガス、酸素ガス等の低分子ガスを透過する性質があるので、ガスバリア性を高める手段を施すことが好ましい。
【００３５】
キャップが合成樹脂製の場合には、インジェクション成型などを用いれば一体成型することが容易で加工が簡単である。このキャップの構成としては上記実施例に示すいずれの形状であっても良い。
【００３６】
以上の実施例において、ボトルは金属製のボトルを例として述べたが、ガス含有飲料の容器において、ボトルは金属製に限られず、ガラス製や、合成樹脂製であってもよい。
【００３７】
次にこのキャップを使用したガス含有飲料の容器への充填方法について述べる。ガス含有飲料を入れる容器を形成するボトルにガス含有飲料を満たし、その内面にボトルの開口内に向かって突出するように形成された凸部を有するキャップを開口に徐々に螺合し装着すると、キャップの凸部がボトルの開口付近の内容物内に侵入してこれによって溢流した飲料の一部が外部へ排出されながら装着され密封される。そうするとキャップと内容物との間には空間がない状態となり、所期の収容状態でガス含有飲料を提供でき、内容物の劣化を防ぐことができるとともに開栓時に内容物がこぼれることがない。
【００３８】
また、以上には図示しなかったが、キャップ内部にパッキンを入れ、容器の開口の端面に密接するように凸部の周囲に配置すれば、容器の密封性をより高めることができ好ましい。
【００３９】
さらに、上記実施例においては、キャップとして天板と側壁を有する成形品を用いて説明したが、例えばボトル開口の径よりも大径な円盤状の板体を用い、その中心部に上述の凸部となる窪み或いは樹脂ブロックを形成した状態でボトルの開口に装着し、平面視で開口からはみ出した部分を折り曲げ加工によって開口の側壁に沿って成形することで密封するようにしても良い。このように密閉された容器を開栓する際には、上述の実施例のキャップと同様に開口の側壁面に形成された雄螺子に沿って回転させて開栓する。
【００４０】
以上説明した実施例にかかわらず、本発明のボトル開口内に入る凸部の形状は、山形、円筒形、円錐形、その他内容物を排除するさまざまな形態をとることができる。
【図面の簡単な説明】
【００４１】
【図１】図１は本発明の実施例１のボトルとキャップを示す断面図である。
【図２】図２は実施例１の変形例としてのボトルとキャップを示す断面図である。
【図３】図３は本発明の実施例２のボトルとキャップを示す断面図である。
【図４】図４は実施例２の変形例としてのボトルとキャップを示す断面図である。
【図５】図５は従来のキャップ構造の構成を概略的に示す説明図である。
【符号の説明】
【００４２】
１、１１        キャップ
２、１２        ボトルの開口
３、１３        天板部
４、１４        側壁部
５、１５        橋絡部
６、１６        裾部
７、１７        雄螺子
８、１８        雌螺子
【図１】
2007238100.tif 000003
【図２】
2007238100.tif 000004
【図３】
2007238100.tif 000005
【図４】
2007238100.tif 000006
【図５】
2007238100.tif 000007